(57)【特許請求の範囲】
【請求項１】
下記アクリル系モノマー（ａ１）〜（ａ４）合計１００重量％中、
ベンゾトリアゾール基と（メタ）アクリロイル基とを有するアクリル系モノマー（ａ１）：１０〜８０重量％と、
パーフルオロアルキル基又はポリシロキサン基のうち少なくとも一方と（メタ）アクリロイル基とを有するアクリル系モノマー（ａ２）：０．１〜２０重量％と、
水酸基と（メタ）アクリロイル基とを有するアクリル系モノマー（ａ３）：１０〜８０重量％と、
必要に応じて（メタ）アクリロイル基を有するその他のアクリル系モノマー（ａ４）：０〜１０重量％とを共重合してなる、水酸基を有するアクリル系プレポリマーと、
イソシアネート基と（メタ）アクリロイル基とを有するアクリル系モノマー（ａ５）との反応生成物である、数平均分子量が３０００〜１０００００であり、（メタ）アクリロイル基当量が２５０〜１６００である、
ことを特徴とする、ベンゾトリアゾール基と、パーフルオロアルキル基又はポリシロキサン基のうち少なくとも一方と、（メタ）アクリロイル基とを有する活性エネルギー線硬化性化合物（Ａ）。
【請求項２】
請求項１記載の活性エネルギー線硬化性化合物（Ａ）と、ピペリジニル基と（メタ）アクリロイル基とを有する活性エネルギー線硬化性化合物（Ｂ）と、前記（Ａ）〜（Ｂ）以外の他の活性エネルギー線硬化性化合物（Ｃ）とを含有する、活性エネルギー線硬化性組成物。
【請求項３】
他の活性エネルギー線硬化性化合物（Ｃ）が、カプロラクトン由来の−（ＣＨ2 ）5  −と（メタ）アクリロイル基とを有する紫外線硬化性化合物（Ｃ１）を含有することを特徴とする請求項２記載の活性エネルギー線硬化性組成物。
【請求項４】
カプロラクトン由来の−（ＣＨ2 ）5 −と（メタ）アクリロイル基とを有する紫外線硬化性化合物（Ｃ１）が、下記一般式（１）にて示される構造を呈することを特徴とする、請求項３記載の活性エネルギー線硬化性組成物。
【化１】
0005585206.tif 000008
上記一般式（１）中、Ｒ1は、水素原子もしくはメチル基を示す。また、ｎ＋ｍ＋ｌ＋ｏ＋ｐ＋ｑ＝１〜１２の整数である。
【請求項５】
ｎ＋ｍ＋ｌ＋ｏ＋ｐ＋ｑ＝６〜１２であることを特徴とする、請求項４記載の活性エネルギー線硬化性組成物。
【請求項６】
他の活性エネルギー線硬化性化合物（Ｃ）が、カプロラクトン由来の−（ＣＨ2 ）5 −を有しない他の活性エネルギー線硬化性化合物（Ｃ２）をさらに含有することを特徴とする請求項３〜５いずれか記載の活性エネルギー線硬化性組成物。
【請求項７】
他の活性エネルギー線硬化性化合物（Ｃ２）が、（メタ）アクリロイル基を平均で２〜１５個有するウレタン系化合物であることを特徴とする、請求項６記載の活性エネルギー線硬化性組成物。
【請求項８】
他の活性エネルギー線硬化性化合物（Ｃ２）の数平均分子量が５００〜１００００であることを特徴とする、請求項６又は７記載の活性エネルギー線硬化性組成物。
【請求項９】
無機酸化物（Ｄ）をさらに含有することを特徴とする請求項２〜８いずれか記載の活性エネルギー線硬化性組成物。
【請求項１０】
無機酸化物（Ｄ）が、ＳｉＯ2であることを特徴とする請求項９記載の活性エネルギー線硬化性組成物。
【請求項１１】
活性エネルギー線硬化性化合物（Ａ）〜（Ｃ）の合計１００重量％中、（Ａ）：１〜５０重量％、（Ｂ）：１〜２０重量％、（Ｃ）：３０〜９５重量％であることを特徴とする請求項２〜１０いずれか記載の活性エネルギー線硬化性組成物。
【請求項１２】
活性エネルギー線硬化性化合物（Ａ）〜（Ｃ）の合計１００重量％中、（Ａ）：１〜５０重量％、（Ｂ）：１〜２０重量％、（Ｃ１）：５〜６０重量％、（Ｃ２）：２０〜８０重量％であることを特徴とする請求項１１記載の活性エネルギー線硬化性組成物。
【請求項１３】
活性エネルギー線硬化性化合物（Ａ）〜（Ｃ）の合計１００重量部に対して、無機酸化物（Ｄ）を０．１〜２０重量部含有することを特徴とする請求項９〜１２いずれか記載の活性エネルギー線硬化性組成物。
【請求項１４】
部材表面に、請求項２〜１３いずれか記載の活性エネルギー線硬化性組成物から形成されてなる硬化層を具備してなる、硬化層付き部材。
【発明の詳細な説明】
【技術分野】
【０００１】
本発明は活性エネルギー線硬化性化合物、および該化合物を含有する活性エネルギー線硬化性組成物に関する。詳しくは。詳しくは、少量の配合で効果的に耐候性を向上させ、かつ耐磨耗性や各種部材との密着性を損なうことのない硬化塗膜を形成し得る活性エネルギー線硬化性化合物に関する。
【背景技術】
【０００２】
太陽光線に含まれる紫外線が、塗膜に含まれる化合物の化学結合を切断して劣化させることはよく知られており、特に屋外のような太陽光線の照射量が多いところで使用される塗膜には高度な耐候性が求められる。
【０００３】
従来、塗料に耐候性を有する添加剤（以下、耐候性添加剤という）を加え、塗膜に求められる耐候性を付与することがなされている。耐候性を有する添加剤としては、たとえば、ベンゾフェノン系、ベンゾトリアゾール系に代表される紫外線吸収剤、ピペリジン系、ヒンダードフェノール等の酸化防止剤、リン、イオウ原子を有する過酸化物分解剤などが挙げられる。
【０００４】
例えば、特許文献１には、特定の元素を含有する触媒を用い、カルボキシル基とエポキシ基とを反応させて、重合性二重結合を複数有する重合体（Ａ１）を得、該重合体（Ａ１）と重合性単量体（Ａ２）とを含有する感光性樹脂組成物から耐候性に優れる塗膜を形成し得る旨開示されている。そして、耐候性付与向上剤の利用も開示されている。
【０００５】
しかし、これらの耐候性添加剤は低分子量であり、長時間の紫外線暴露によりブリードアウトしてしまい、本来の機能を十分に発揮できない。活性エネルギー線硬化を使用する塗料では、耐候性添加剤に重合性基を付与し、硬化系に組込む工夫がなされたものもあるが、単官能のものが多く、硬化系に十分に組込まれない懸念がある。
【０００６】
一方で、耐候性骨格を組込んだ高分子化合物が各種市販されているが、重合性基を有していないため、硬度や耐薬品性を落とすなど、別の問題が発生してしまう。
【０００７】
以上の問題を解決するために、耐候性を有する骨格と重合性基の両方を組込んだ高分子化合物が提案されている（特許文献２）。
これにより硬度や耐薬品性などを落とすことなく耐候性を付与することが可能であるが、本発明者らの検討ではそれでも耐候性が不十分であり、耐候性をより最適な形で発揮させる工夫が必要である。
【先行技術文献】
【特許文献】
【０００８】
【特許文献１】特開２０００−１５９８２８号公報
【特許文献２】特開２００７−２３８８２３号公報
【発明の開示】
【発明が解決しようとする課題】
【０００９】
本発明は、少量の配合で効果的に耐候性を向上させ、かつ耐磨耗性や各種部材との密着性を損なうことのない硬化塗膜を形成し得る活性エネルギー線硬化性化合物の提供を目的とする。
【課題を解決するための手段】
【００１０】
本発明者らは、上記問題を解決するため、鋭意検討した結果、本発明に達した。
即ち、本発明は、下記アクリル系モノマー（ａ１）〜（ａ４）合計１００重量％中、
ベンゾトリアゾール基と（メタ）アクリロイル基とを有するアクリル系モノマー（ａ１）：１０〜８０重量％と、
パーフルオロアルキル基又はポリシロキサン基のうち少なくとも一方と（メタ）アクリロイル基とを有するアクリル系モノマー（ａ２）：０．１〜２０重量％と、
水酸基と（メタ）アクリロイル基とを有するアクリル系モノマー（ａ３）：１０〜８０重量％と、
必要に応じて（メタ）アクリロイル基を有するその他のアクリル系モノマー（ａ４）：０〜１０重量％とを共重合してなる、水酸基を有するアクリル系プレポリマーと、
イソシアネート基と（メタ）アクリロイル基とを有するアクリル系モノマー（ａ５）との反応生成物である、数平均分子量が３０００〜１０００００であり、（メタ）アクリロイル基当量が２５０〜１６００である、
ことを特徴とする、ベンゾトリアゾール基と、パーフルオロアルキル基又はポリシロキサン基のうち少なくとも一方と、（メタ）アクリロイル基とを有する活性エネルギー線硬化性化合物（Ａ）に関する。
【００１４】
さらにまた、本発明は、前記の活性エネルギー線硬化性化合物（Ａ）と、ピペリジニル基と（メタ）アクリロイル基とを有する活性エネルギー線硬化性化合物（Ｂ）と、前記（Ａ）〜（Ｂ）以外の他の活性エネルギー線硬化性化合物（Ｃ）とを含有する、活性エネルギー線硬化性組成物に関し、
他の活性エネルギー線硬化性化合物（Ｃ）として、カプロラクトン由来の−（ＣＨ2）5−と（メタ）アクリロイル基とを有する紫外線硬化性化合物（Ｃ１）を含有することが好ましく、
カプロラクトン由来の−（ＣＨ2）5−と（メタ）アクリロイル基とを有する紫外線硬化性化合物（Ｃ１）は、下記一般式（１）にて示される構造を呈することが好ましい。
【００１５】
【化１】
0005585206.tif 000002
【００１６】
上記一般式（１）中、Ｒ1は、水素原子もしくはメチル基を示す。また、ｎ＋ｍ＋ｌ＋ｏ＋ｐ＋ｑ＝１〜１２の整数であり、ｎ＋ｍ＋ｌ＋ｏ＋ｐ＋ｑ＝６〜１２であることが好ましい。
【００１７】
本発明の活性エネルギー線硬化性組成物は、他の活性エネルギー線硬化性化合物（Ｃ）として、カプロラクトン由来の−（ＣＨ2）5−を有しない他の活性エネルギー線硬化性化合物（Ｃ２）をさらに含有することが好ましく、
他の活性エネルギー線硬化性化合物（Ｃ２）は、（メタ）アクリロイル基を平均で２〜１５個有するウレタン系化合物であることが好ましく、
他の活性エネルギー線硬化性化合物（Ｃ２）の数平均分子量は５００〜１００００であることが好ましい。
【００１８】
本発明の活性エネルギー線硬化性組成物は、無機酸化物（Ｄ）をさらに含有することが好ましく、無機酸化物（Ｄ）は、ＳｉＯ2であることが好ましい。
【００１９】
本発明の活性エネルギー線硬化性組成物は、活性エネルギー線硬化性化合物（Ａ）〜（Ｃ）の合計１００重量％中、（Ａ）：１〜５０重量％、（Ｂ）：１〜２０重量％、（Ｃ）：３０〜９５重量％であることが好ましく、
さらに、活性エネルギー線硬化性化合物（Ａ）〜（Ｃ）の合計１００重量％中、（Ａ）：５〜５０重量％、（Ｂ）：０．５〜１５重量％、（Ｃ１）：５〜６０重量％、（Ｃ２）：２０〜８０重量％であることが好ましい。
【００２０】
さらに本発明の活性エネルギー線硬化性組成物は、活性エネルギー線硬化性化合物（Ａ）〜（Ｃ）の合計１００重量部に対して、無機酸化物（Ｄ）を０．１〜２０重量部含有することが好ましい。
【００２１】
さらにまた、本発明は、部材表面に前記の活性エネルギー線硬化性化合物を含有する活性エネルギー線硬化性樹脂組成物から形成されてなる硬化層を具備してなる部材に関する。
【発明の効果】
【００２２】
本発明の活性エネルギー線硬化性化合物（Ａ）を含有する活性エネルギー線硬化性組成物は、各種部材との密着性に優れ、耐候性及び耐磨耗性に優れる硬化塗膜を形成し得る。
【発明を実施するための形態】
【００２３】
本発明の活性エネルギー線硬化性化合物（Ａ）について説明する。
活性エネルギー線硬化性化合物（Ａ）は、ベンゾトリアゾール基と、フッ素原子又はケイ素原子のうち少なくとも一方を含有する官能基と、（メタ）アクリロイル基とを有する。
【００２４】
前記活性エネルギー線硬化性化合物（Ａ）は、例えば以下のようにして得ることができる。
即ち、ベンゾトリアゾール基と（メタ）アクリロイル基とを有するアクリル系モノマー（ａ１）と、フッ素原子含有官能基又はケイ素原子含有官能基のうち少なくとも一方と（メタ）アクリロイル基とを有するアクリル系モノマー（ａ２）と、水酸基と（メタ）アクリロイル基とを有するアクリル系モノマー（ａ３）と、必要に応じて（メタ）アクリロイル基とを有するその他のアクリル系モノマー（ａ４）とを共重合し、水酸基を有するアクリル系プレポリマーを得、イソシアネート基と（メタ）アクリロイル基とを有するアクリル系モノマー（ａ５）中のイソシアネート基を、前記水酸基を有するアクリル系プレポリマー中の水酸基と反応させて得ることができる。
【００２５】
＜ベンゾトリアゾール基と（メタ）アクリロイル基とを有するアクリル系モノマー（ａ１）＞
ベンゾトリアゾール基を有するアクリル系モノマー（ａ１）は、硬化塗膜に耐候性を付与する機能を担う。すなわち、塗膜に照射された紫外線は塗膜中のベンゾトリアゾール基で吸収され、そのエネルギーを熱エネルギーに変換する事で塗膜中の化学結合の切断を抑制する。
ベンゾトリアゾール基と（メタ）アクリロイル基とを有するアクリル系モノマー（ａ１）としては、２−（２‘−ヒドロキシ−５’−（メタクリロイルオキシエチル）フェニル）−２Ｈ−ベンゾトリアゾール、２−（２‘−ヒドロキシ−３’−ｔ−ブチル−５‘−メタクリロキシエチルフェニル）−２Ｈ−ベンゾトリアゾール、２−（２’−（メタ）アクリロイルオキシ−５‘−メチルフェニル）ベンゾトリアゾール、２−（２’−（メタ）アクリロイルオキシ−５‘−ｔ−オクチルフェニル）ベンゾトリアゾール、２−（２’−（メタ）アクリロイルオキシ−３‘，５’−ジ−ｔ−ブチルフェニル）ベンゾトリアゾール等が挙げられる。
なお、本発明において、(メタ)アクリロイル基とは、アクリロイル基ないしメタクリロイル基の意であり、（メタ）アクリロイルオキシとは、アクリロイルオキシないしメタクリロイルオキシの意である。アクリル系モノマー（ａ２）〜（ａ５）や活性エネルギー線硬化性化合物（Ｂ）〜（Ｃ）の説明においても同様である。
【００２６】
＜フッ素原子含有官能基又はケイ素原子含有官能基のうち少なくとも一方と（メタ）アクリロイル基とを有するアクリル系モノマー（ａ２）＞
フッ素原子含有官能基やケイ素原子含有官能基を有するアクリル系モノマー（ａ２）は、硬化塗膜に耐候性を付与する機能を担う。その理由としては以下の２つであると考えられる。
（１）Ｃ−Ｈ結合よりも結合が強い（＝結合エネルギーが大きい）Ｃ−Ｆ結合やＳｉ−Ｏ結合を組込むことで結合が切断されにくくなる。
（２）塗膜が硬化する際、活性エネルギー線硬化性化合物（Ａ）中のフッ素原子含有官能基やケイ素原子含有官能は表面に配向し易い。そして、これら官能基が表面に配向する際、活性エネルギー線硬化性化合物（Ａ）を構成する前記アクリル系モノマー（ａ１）由来のベンゾトリアゾール基も塗膜表面近傍に集中し易くなり、その結果、塗膜内部の劣化を防ぐ。
【００２７】
フッ素原子を有する官能基は、たとえば、２，２，２−トリフルオロエチル基、２，２，３，３，３−ペンタフルオロプロピル基、３，３，４，４，５，５，６，６，７，７，８，８，９，９，１０，１０，１０−ヘプタデカフルオロデシル基、ペンタフルオロフェニル基等のフッ素置換されたアルキル基、アリール基、アラルキル基、などが挙げられ、パーフルオロアルキル基が好ましい。
【００２８】
これら官能基と（メタ）アクリロイル基とを有するアクリル系モノマー（ａ２）としては、たとえば、２，２，２−トリフルオロエチル（メタ）アクリレート、２，２，３，３，３−ペンタフルオロプロピル（メタ）アクリレート、２−（パーフルオロブチル）エチル（メタ）アクリレート、３−（パーフルオロブチル）−２−ヒドロキシプロピル（メタ）アクリレート、２−（パーフルオロヘキシル）エチル（メタ）アクリレート、３−（パーフルオロヘキシル）−２−ヒドロキシプロピル（メタ）アクリレート、２−（パーフルオロオクチル）エチル（メタ）アクリレート、３−（パーフルオロオクチル）−２−ヒドロキシプロピル（メタ）アクリレート、２−（パーフルオロデシル）エチル（メタ）アクリレート、２−（パーフルオロ−３−メチルブチル）エチル（メタ）アクリレート、３−（パーフルオロ−３−メチルブチル）−２−ヒドロキシプロピル（メタ）アクリレート、２−（パーフルオロ−５−メチルヘキシル）エチル（メタ）アクリレート、３−（パーフルオロ−５−メチルヘキシル）−２−ヒドロキシプロピル（メタ）アクリレート、２−（パーフルオロ−７−メチルオクチル）エチル（メタ）アクリレート、３−（パーフルオロ−７−メチルオクチル）−２−ヒドロキシプロピル（メタ）アクリレート、１Ｈ，１Ｈ，３Ｈ−テトラフルオロプロピル（メタ）アクリレート、１Ｈ，１Ｈ，５Ｈ−オクタフルオロペンチル（メタ）アクリレート、１Ｈ，１Ｈ，７Ｈ−ドデカフルオロヘプチル（メタ）アクリレート、１Ｈ，１Ｈ，９Ｈ−ヘキサデカフルオロノニル（メタ）アクリレート、１Ｈ−１−（トリフルオロメチル）トリフルオロエチル（メタ）アクリレート、１Ｈ，１Ｈ，３Ｈ−ヘキサフルオロブチル（メタ）アクリレート等が挙げられる。
【００２９】
ケイ素原子含有官能基としては、ポリシロキサン基が好ましい。
ケイ素原子含有官能基と（メタ）アクリロイル基とを有するアクリル系モノマー（ａ２）としては、たとえば、ポリジメチルシロキサンの末端（メタ）アクリレート変性物、２−（メタ）アクリロイルオキシエチルトリメトキシシラン、３−（メタ）アクリロイルオキシプロピルトリメトキシシラン、３−（メタ）アクリロイルオキシプロピルトリエトキシシラン、３−（メタ）アクリロイルオキシプロピルメチルジメトキシシラン、３−（メタ）アクリロイルオキシプロピルエチルジエトキシシラン、などが挙げられる。
【００３０】
水酸基と（メタ）アクリロイル基とを有するアクリル系モノマー（ａ３）は、後述するイソシアネート基と（メタ）アクリロイル基とを有するアクリル系モノマー（ａ５）との反応点として機能する水酸基を、プレポリマーに導入する機能を担う。
水酸基と（メタ）アクリロイル基とを有するアクリル系モノマー（ａ３）としては、ヒドロキシエチル（メタ）アクリレート、ヒドロキシプロピル（メタ）アクリレート、ヒドロキシブチル（メタ）アクリレート、シクロヘキサンジメタノールモノ（メタ）アクリレート、２，３−ジヒドロキシプロピル（メタ）アクリレート（ヒドロキシ基二官能）、２−ヒドロキシ−３−フェノキシプロピル（メタ）アクリレート、Ｎ−メチロール（メタ）アクリルアミド、ヒドロキシスチレン、ヒドロキノンモノ（メタ）アクリレート、ヒドロキシアルキルビニルエーテル、および、これらをエチレンオキシド変性（ＥＯ変性）、プロピレンオキシド変性（ＰＯ変性）、カプロラクトン変性（ＣＬ変性）等の単官能（メタ）アクリレート、３−（メタ）アクリロイルオキシ−２−ヒドロキシプロピル（メタ）アクリレート、ペンタエリスリトールトリ（メタ）アクリレート、ジペンタエリスリトールペンタ（メタ）アクリレート、イソシアヌル酸ＥＯ変性ジ（メタ）アクリレート等の多官能（メタ）アクリレート等が挙げられる。
【００３１】
本発明の活性エネルギー線硬化性化合物（Ａ）を得る際には、前記のアクリル系モノマー（ａ１）〜（ａ３）以外に、（メタ）アクリロイル基を有するその他のアクリル系モノマー（ａ４）を用いることができる。
その他のアクリル系モノマー（ａ４）としては、上記記載の水酸基と（メタ）アクリロイル基を有する化合物（ａ３）と異なる化合物、メチル（メタ）アクリレート、エチル（メタ）アクリレート、ブチル（メタ）アクリレート、ヘキシル（メタ）アクリレート、２−エチルヘキシル（メタ）アクリレート、ラウリル（メタ）アクリレート、ステアリル（メタ）アクリレート、シクロヘキシル（メタ）アクリレート、ベンジル（メタ）アクリレート、イソボルニル（メタ）アクリレート、ジシクロペンタニル（メタ）アクリレート、２−メトキシエチル（メタ）アクリレート、ポリエチレングリコールアルキルエーテル（メタ）アクリレート、ポリプロピレングリコールアルキルエーテル（メタ）アクリレート、テトラヒドロフルフリル（メタ）アクリレート、フェノキシエチル（メタ）アクリレート、Ｎ，Ｎ−ジメチルアミノエチル（メタ）アクリレート、Ｎ，Ｎ−ジエチルアミノエチル（メタ）アクリレート、スチレン、メチルスチレン、などが挙げられる。
【００３２】
本発明に用いられる、水酸基を有するアクリル系プレポリマーは次の手順により得られる。
すなわち、ベンゾトリアゾール基を有するアクリル系モノマー（ａ１）と、フッ素原子含有官能基やケイ素原子含有官能基を有するアクリル系モノマー（ａ２）と、水酸基を有するアクリル系モノマー（ａ３）と、必要に応じてその他のアクリル系モノマー（ａ４）とをラジカル共重合する。
前記アクリル系モノマー（ａ１）〜（ａ４）の合計１００重量％中、ベンゾトリアゾール基を有するアクリル系モノマー（ａ１）：１０〜８０重量％、フッ素原子含有官能基やケイ素原子含有官能基を有するアクリル系モノマー（ａ２）：０．１〜２０重量％、水酸基を有するアクリル系モノマー（ａ３）：１０〜８０重量％、その他のアクリル系モノマー（ａ４）：０〜１０重量％であることが好ましく、（ａ１）：２０〜７０重量％、（ａ２）：１〜１５重量％、（ａ３）：２０〜７０重量％、その他のアクリル系モノマー（ａ４）：０〜５重量％であることがさらに好ましい。
【００３３】
ベンゾトリアゾール基を有するアクリル系モノマー（ａ１）の共重合比が８０重量％を超えると、相対的に水酸基を有するアクリル系モノマー（ａ３）の共重合比率が少なくなる。その結果、次工程でイソシアネート基を有するアクリル系モノマー（ａ５）と反応させるべき水酸基が少なくなり、得られる活性エネルギー線硬化性化合物（Ａ）の（メタ）アクリロイル基当量が大きくなり、形成される硬化塗膜の耐磨耗性が低下する。一方、ベンゾトリアゾール基を有するアクリル系モノマー（ａ１）の共重合比が１０重量％未満では、得られる活性エネルギー線硬化性化合物（Ａ）中のベンゾトリアゾール基の量が少なくなり、優れた耐候性を発現することができない。
【００３４】
フッ素原子含有官能基やケイ素原子含有官能基を有するアクリル系モノマー（ａ２）の共重合比が２０重量％を超えるとフッ素原子やケイ素原子の塗膜表面への配向が多くなり、硬化塗膜に撥水・撥油性、滑性、耐候性が付与される反面、硬化塗膜の表面硬度が低下してしまう。一方、フッ素原子含有官能基やケイ素原子含有官能基を有するアクリル系モノマー（ａ２）の共重合比が０．１重量％未満の場合、塗膜表面へのフッ素原子やケイ素原子の配向が少なく、さらにベンゾトリアゾール基の塗膜表面への配向が少なく、優れた耐候性を発現する事ができない。
【００３５】
水酸基を有するアクリル系モノマー（ａ３）の共重合比が８０重量％を超えると、逆にベンゾトリアゾール基を有するアクリル系モノマー（ａ１）の共重合比が少なくなり、耐候性の向上が期待できない。一方、水酸基を有するアクリル系モノマー（ａ３）の共重合比が１０重量％未満だと、前記同様に活性エネルギー線硬化性化合物（Ａ）の（メタ）アクリロイル基当量が大きくなり、形成される硬化塗膜の耐磨耗性が低下する。
【００３６】
ラジカル重合時に使用する重合開始剤は溶剤やモノマーに対する溶解性、重合温度、目的とする分子量等に合わせて適当なものを選んで使用できる。たとえば、２，２’−アゾビス（イソブチロニトリル）、２，２’−アゾビス（４−メトキシ−２，４−ジメチルバレロニトリル）、２，２’−アゾビス（２，４−ジメチルバレロニトリル）、２，２−アゾビス（２−メチルプロピオン酸）ジメチル、２，２’−アゾビス（２−メチルブチロニトリル）、１，１’−アゾビス（シクロヘキサン−１−カルボニトリル）、２，２’−アゾビス［Ｎ−（２−プロペニル）−２−メチルプロピオンアミド］、１−［（１−シアノ−１−メチルエチル）アゾ］ホルムアミド、２，２’−アゾビス（Ｎ−ブチル−２−メチルプロピオンアミド）、２，２’−アゾビス（Ｎ−シクロヘキシル−２−メチルプロピオンアミド）、などのアゾ系開始剤、ポリジメチルシロキサンまたはポリエチレングリコール鎖を有するマクロアゾ開始剤、過酸化ジイソブチル、過酸化ジ−ｔ−ブチル、過酸化ベンゾイル、２−エチルヘキサン酸ｔ−ブチル、１，１−ジ−ｔ−ブチルペルオキシ−２−メチルシクロヘキサン等の過酸化物などが挙げられる。
【００３７】
重合開始剤は、プレポリマー重合時のモノマー１００重量部［すなわち、ベンゾトリアゾール基を有するアクリル系モノマー（ａ１）と、フッ素原子含有官能基やケイ素原子含有官能基を有するアクリル系モノマー（ａ２）と、水酸基を有するアクリル系モノマー（ａ３）と、必要に応じてその他のアクリル系モノマー（ａ４）との合計１００重量部］に対して、０．１〜１０重量部であることが好ましい。
重合開始剤が０．１重量部未満であると、得られるプレポリマー及び活性エネルギー線硬化性化合物（Ａ）の分子量が大きくなり、活性エネルギー線硬化性化合物（Ａ）を含有する活性エネルギー線硬化性組成合物の粘度が高くなり過ぎるため、塗料として使用する際、塗工適性が低下するおそれがある。
また、重合開始剤が１０重量部よりも多いと、得られるプレポリマーの分子量が小さくなってしまい、プレポリマー中に含まれる水酸基を有しない成分の割合が多くなる。その結果、そのようなプレポリマーと、後述するイソシアネート基を有するアクリル系モノマー（ａ５）とを反応させても反応生成物である活性エネルギー線硬化性化合物（Ａ）中に含まれる(メタ)アクリロイル基を有しない成分の含有量が多くなり、活性エネルギー線硬化性組成物の硬化性が悪化し、硬化塗膜の硬度等が低下してしまうため、好ましくない。同様の理由で、プレポリマーの数平均分子量は３，０００〜１００，０００が好ましい。
【００３８】
ラジカル重合は無溶剤で行っても、溶剤中で行っても構わない。使用できる溶剤は、たとえば、トルエン、キシレン、アセトン、メチルエチルケトン、メチルイソブチルケトン、シクロヘキサノン、イソホロン、酢酸メチル、酢酸エチル、酢酸プロピル、酢酸イソプロピル、酢酸ブチル、酢酸イソブチル、酢酸シクロヘキシル、テトラヒドロフラン、１，４−ジオキサン、プロピレングリコールモノメチルエーテルアセテート、ジエチレングリコールモノエチルエーテルアセテート、メタノール、エタノール、１−プロパノール、２−プロパノール、ブタノール、ダイアセトンアルコール、等が挙げられる。
【００３９】
ラジカル重合時の温度は、溶剤の沸点や開始剤の組合せによって制限される場合もあるが、通常４０〜１５０℃、好ましくは６０〜１００℃で行われる。
【００４０】
活性エネルギー線硬化性化合物（Ａ）の形成に用いられる水酸基を有するプレポリマーの水酸基価は、３０〜３００（ｍｇＫＯＨ／ｇ）であることが好ましく、７０〜２７０（ｍｇＫＯＨ／ｇ）であることがより好ましい。水酸基価が小さすぎると、次工程で導入できる（メタ）アクリロイル基が少なくなり、得られる活性エネルギー線硬化性化合物（Ａ）の（メタ）アクリロイル基当量が大きくなり、形成される硬化塗膜の耐磨耗性が低下する。一方、水酸基価が大きすぎると、ベンゾトリアゾール基を有するアクリル系モノマー（ａ１）の共重合比が少なくなり、耐候性の向上が期待できない。
【００４１】
本発明の活性エネルギー線硬化性化合物（Ａ）は、前記アクリル系モノマー（ａ１）〜（ａ４）から形成された水酸基を有するアクリル系プレポリマーと、イソシアネート基を有するアクリル系モノマー（ａ５）とを反応させることによって得られる。
【００４２】
イソシアネート基と（メタ）アクリロイル基とを有するアクリル系モノマー（ａ５）としては、２−（メタ）アクリロイルオキシエチルイソシアネート、２−（２−（メタ）アクリロイルオキシエチルオキシ）エチルイソシアネート等の単官能（メタ）アクリレート、１，１−ビス（（メタ）アクリロイルオキシメチル）エチルイソシアネート等の多官能（メタ）アクリレート等が挙げられる。
【００４３】
この際の反応条件は水酸基とイソシアネート基の組合せによって適した条件を選ぶ必要があるが、それぞれの持つ二重結合が反応しないよう、反応温度２０〜１１０℃、好ましくは５０〜１００℃で行うことが望ましい。
【００４４】
さらに二重結合が反応しないよう、反応時に重合禁止剤を添加しておいてもよい。重合禁止剤としては、たとえば、ヒドロキノン（ＨＱ）、ヒドロキノンモノメチルエーテル（ＭＥＨＱ）、２，６−ジ−ｔ−ブチル−４−メチルフェノール（ＢＨＴ）、ｔ−ブチルカテコール（ＴＢＣ）、４−メトキシ−１−ナフトール、等のフェノール、ナフトール誘導体、フェノチアジン誘導体、ニトロソアミン塩、などが挙げられる。また、反応系中に酸素または空気を吹き込むことでも同様の重合禁止効果が得られる。重合禁止剤が着色等の問題を引き起こす場合は、重合禁止剤は少量に抑え、酸素または空気を吹き込みながら反応を行う方が好ましい。
【００４５】
このようにして得られる本発明の活性エネルギー線硬化性化合物（Ａ）は、アクリル系モノマー（ａ１）由来のベンゾトリアゾール基と、アクリル系モノマー（ａ２）由来のフッ素原子含有官能基やケイ素原子含有官能基と、アクリル系モノマー（ａ５）由来の（メタ）アクリロイル基を有する。活性エネルギー線硬化性化合物（Ａ）の数平均分子量は３０００〜１０００００であることが好ましく、５０００〜５００００であることがより好ましい。
プレポリマーを形成する際に用いる重合開始剤の量についての説明箇所で述べたように、多量の重合開始剤を用い、形成されるプレポリマーの数平均分子量が小さくなり過ぎると、プレポリマー中に含まれる水酸基を有しない成分の割合が多くなる。その結果、そのようなプレポリマーから形成された活性エネルギー線硬化性化合物（Ａ）中に含まれる(メタ)アクリロイル基を有しない成分の含有量が多くなり、活性エネルギー線硬化性組成物としての硬化性が悪化し、硬化塗膜の硬度等が低下してしまうため、好ましくない。
一方、活性エネルギー線硬化性化合物（Ａ）の数平均分子量が大きすぎると粘度が高くなり過ぎるため、塗料として使用する際、塗工適性が低下するおそれがある。
なお、アクリル系モノマー（ａ５）は活性エネルギー線硬化性化合物（Ａ）の数平均分子量にはほとんど影響を及ぼさないので、活性エネルギー線硬化性化合物（Ａ）の前駆体というべき、水酸基を有するプレポリマーの数平均分子量は前記したように３，０００〜１００，０００であることが好ましい。
【００４６】
また、本発明の活性エネルギー線硬化性化合物（Ａ）は、ベンゾトリアゾール基の官能基当量が２００〜７０００であることが好ましく、３００〜４０００であることがより好ましい。
本発明の活性エネルギー線硬化性化合物（Ａ）は、フッ素原子含有官能基やケイ素原子含有官能基の官能基当量が３０００〜２００００であることが好ましく、３５００〜１７０００であることがより好ましい。
本発明の活性エネルギー線硬化性化合物（Ａ）は、（メタ）アクリロイル基の官能基当量が２５０〜１６００であることが好ましく、３００〜１０００であることがより好ましい。
なお、ここでいう官能基当量とは、各官能基１モルを含む活性エネルギー線硬化性化合物（Ａ）の質量（ｇ）を意味する。
【００４７】
次に本発明の活性エネルギー線硬化性組成物について説明する。
本発明の活性エネルギー線硬化性組成物は、前記の活性エネルギー線硬化性化合物（Ａ）と、ピペリジニル基と（メタ）アクリロイル基とを有する活性エネルギー線硬化性化合物（Ｂ）と、前記（Ａ）〜（Ｂ）以外の他の活性エネルギー線硬化性化合物（Ｃ）とを含有するものである。
【００４８】
ピペリジニル基と（メタ）アクリロイル基とを有する活性エネルギー線硬化性化合物（Ｂ）は、硬化塗膜を形成する際、表面にはあまり移行せず、主として硬化塗膜の内部形成を担い、硬化塗膜の耐候性のさらなる向上を担うと考察される。
ピペリジニル基と（メタ）アクリロイル基とを有するアクリル系モノマー（Ｂ）としては、４−（メタ）アクリロイルオキシ−２，２，６，６−テトラメチルピペリジン、４−（メタ）アクリロイルオキシ−１，２，２，６，６−ペンタメチルピペリジンなどが挙げられる。
【００４９】
他の活性エネルギー線硬化性化合物（Ｃ）としては、（メタ）アクリロイル基を有する種々の化合物が用いられる。例えば、カプロラクトン由来の−（ＣＨ2）5−と（メタ）アクリロイル基とを有する活性エネルギー線硬化性化合物（Ｃ１）が挙げられる。カプロラクトン由来の−（ＣＨ2）5−と（メタ）アクリロイル基とを有する活性エネルギー線硬化性化合物（Ｃ１）は、下記一般式（１）にて示される構造を呈することが好ましい。
【００５０】
一般式（１）
【化２】
0005585206.tif 000003
【００５１】
上記一般式（１）中、Ｒ1は、水素原子もしくはメチル基を示す。また、ｎ＋ｍ＋ｌ＋ｏ＋ｐ＋ｑ＝１〜１２の整数であり、ｎ＋ｍ＋ｌ＋ｏ＋ｐ＋ｑ＝２〜１２であることが好ましく、さらには６〜１２であることが好ましい。ｎ＋ｍ＋ｌ＋ｏ＋ｐ＋ｑが１未満では、長期の耐候性試験により塗膜が剥がれ落ちやすくなってしまう。ｎ＋ｍ＋ｌ＋ｏ＋ｐ＋ｑが１２を越えると、（メタ）アクリロイル基当量が増加し、形成される硬化塗膜の耐磨耗性が低下する傾向にある。
【００５２】
このようなカプロラクトン由来の−（ＣＨ2）5−を有する活性エネルギー線硬化性化合物（Ｃ１）としては、ジペンタエリスリトールとε−カプロラクトンとの付加物に（メタ）アクリル酸がさらに付加した（メタ）アクリレート化合物が挙げられる。
【００５３】
本発明の活性エネルギー線硬化性組成物は、他の活性エネルギー線硬化性化合物（Ｃ）として、カプロラクトン由来の−（ＣＨ2）5−を有しない他の活性エネルギー線硬化性化合物（Ｃ２）をさらに含有することができる。
他の活性エネルギー線硬化性化合物（Ｃ２）としては、数平均分子量が５００〜１００００のオリゴマーが好ましく、ポリエステル（メタ）アクリレート、ポリウレタン（メタ）アクリレート、エポキシ（メタ）アクリレート、（メタ）アクリル化マレイン酸変性ポリブタジエン等の不飽和二重結合を有するオリゴマーが好ましく、ポリウレタン（メタ）アクリレートがより好ましい。
これらのオリゴマーは、一分子あたりの（メタ）アクリロイル基が平均で２〜１５個であることが好ましく、さらには４〜１２個であることが好ましい。（メタ）アクリロイル基が２未満であると塗膜の硬度は低下し、耐擦傷が低下してしまう。１５個よりも多いと、塗膜の硬化収縮が大きくなり、それにつれ塗膜の歪みも大きくなる。こうした塗膜は耐候性試験時のクラック、剥離の発生につながり大きく外観を損なう。
【００５４】
本発明の活性エネルギー線硬化性組成物は、活性エネルギー線硬化性化合物（Ａ）〜（Ｃ）の合計１００重量％中、（Ａ）：１〜５０重量％、（Ｂ）：１〜２０重量％、（Ｃ）：３５〜９５重量％であることが好ましく、（Ａ）：（Ｂ）：（Ｃ）＝５〜４５：１〜１０：４５〜９０（重量％）であることがより好ましい。
さらに活性エネルギー線硬化性化合物（Ａ）〜（Ｃ）の合計１００重量％中、（Ａ）：１〜５０重量％、（Ｂ）：１〜２０重量％、（Ｃ１）：５〜６０重量％、（Ｃ２）：２０〜８０重量％であることが好ましく、（Ａ）：（Ｂ）：（Ｃ１）：（Ｃ２）＝１０〜４５：２〜１５：１０〜５０：３０〜７０（重量％）であることがより好ましい。
【００５５】
本発明の活性エネルギー線硬化性組成物は、無機酸化物（Ｄ）をさらに含有することが塗膜の高硬度化、耐磨耗性向上の点から好ましい。無機酸化物（Ｄ）としては、ＳｉＯ2が好ましい。
具体的には、ＭＥＫ−ＳＴ、ＩＰＡ−ＳＴ、ＰＧＭ−ＳＴ（全て日産化学（株）製オルガノシリカゾル）といったアルコール、ケトン、エステル等の有機溶媒に１０〜１００ｎｍレベルのコロイダルシリカを分散させたコロイド溶液があげられる。
【００５６】
本発明の活性エネルギー線硬化性組成物の硬化に紫外線、可視光を用いる場合は、本発明の活性エネルギー線硬化性組成物は、さらに光重合開始剤（光ラジカル発生剤）を含有する。
活性エネルギー線硬化組成物中の活性エネルギー線硬化性化合物（Ａ）〜（Ｃ）の合計１００重量部に対して、光重合開始剤は、０．１〜２０部、好ましくは１〜１０部添加する。
光重合開始剤（光ラジカル発生剤）としては、たとえば、２，２−ジメトキシ−１，２−ジフェニルエタン−１−オン、１−ヒドロキシシクロヘキシルフェニルケトン、２−ヒドロキシ−２−メチル−１−フェニルプロパン−１−オン、１−［４−（２−ヒドロキシエトキシ）フェニル］−２−ヒドロキシ−２−メチル−１−プロパン−１−オン、２−ヒドロキシ−１−｛４−［４−（２−ヒドロキシ−２−メチルプロピオニル）ベンジル］フェニル｝−２−メチルプロパン−１−オン、２−メチル−１−（４−メチルチオフェニル）−２−モルフォリノプロパン−１−オン、２−ベンジル−２−ジメチルアミノ−１−（４−モルフォリノフェニル）ブタン−１−オン、２−（ジメチルアミノ）−２−［（４−メチルフェニル）メチル］−１−［４−（モルフォリニル）フェニル］−１−ブタノン、２，４，６−トリメチルベンゾイルジフェニルホスフィンオキサイド、ビス（２，４，６−トリメチルベンゾイル）フェニルホスフィンオキサイド、ビス（η５−２，４−シクロペンタジエン−１−イル）ビス［２，６−ジフルオロ−３−（１Ｈ−ピロール−１−イル）フェニル］チタニウム、１−［４−（フェニルチオ）フェニル］−１，２−オクタンジオン−２−Ｏ−ベンゾイルオキシム、などが挙げられる。
【００５７】
一方、硬化の際に活性エネルギー線に電子線を用いる場合は、上記のような光重合開始剤（光ラジカル発生剤）の添加は必要ない。
【００５８】
本発明の活性エネルギー線硬化性組成物には、さらに添加剤として、熱可塑性樹脂、熱硬化性樹脂、硬化剤、レベリング剤、消泡剤、染料、顔料、酸化防止剤、重合禁止剤、保湿剤、粘度調整剤、防腐剤、抗菌剤、アンチブロッキング剤、赤外線吸収剤、電磁波シールド剤、帯電防止剤、等を加えることができる。
【００５９】
各種部材に本発明の活性エネルギー線硬化性組成物を塗布し、活性エネルギー線を照射して前記組成物を硬化させることで、各種部材表面に耐候性に優れる硬化層を具備させることができる。本発明の活性エネルギー線硬化性組成物が溶剤含有する場合には、活性エネルギー線の照射に先立ち、各種部材に本発明の活性エネルギー線硬化性組成物を塗布した後、溶剤を加熱乾燥することができる。
【００６０】
部材としては、ガラス、セラミック、ポリカーボネート、ポリエステル、ウレタン、アクリル、ポリアセテートセルロース、ポリアミド、ポリイミド、ポリスチレン、エポキシ樹脂、ポリオレフィン、ステンレス等の各種金属、などが挙げられる。特に、ガラスやセラミックに比べて耐候性に劣る樹脂基材に使用することで、耐候性を付与することができ、用途によっては、ガラス基材にはない樹脂基材特有の軽さ、柔らかさなどを特徴生かすことができる。
形状としては、フィルムやシートや板のような平たい形状の他、高さ（厚み)のかなりある立体的な形状であってもよい。平たい形状の場合、活性エネルギー線硬化性組成物は片面又は両面に塗布することができる。また、立体的な部材の場合、部材の一部に塗布することもできるし、全表面に塗布することもできる。
【実施例】
【００６１】
以下に実施例及び比較例を挙げて本発明について具体的に説明するが、本発明はこれらの実施例に限定されるものではない。なお、部、％は特に断りのない限り重量基準である。また、下記実施例及び比較例に示す活性エネルギー線硬化性組成物の性能評価は以下に示す方法で行った。
【００６２】
製造例、実施例中にある略称、製品名は以下の通りである。
「ＬＡ８７」；３−（２，２，６，６−テトラメチル−４−ピペリジニル)−２−メチル−１−プロペン−３−オン（（株）ＡＤＥＫＡ社製  アデカスタブＬＡシリーズ）
「ＲＵＶＡ９３」；２−（２’−ヒドロキシ−５’−メタクリロイルオキシエチルフェニル）−２Ｈ−ベンゾトリアゾール（大塚化学（株）社製）
「ＦＡＭＡＣ−４」；2−(パーフルオロブチル)エチルメタクリレート（ユニマテック（株）社製）
「ＦＡ０７１１」；片末端変性反応性シリコーン（サイラプレーンＦＭ−０７１１  チッソ（株）社製）
「４ＨＢＡ」；４−ヒドロキシブチルアクリレート
「ＭＭＡ」；メチルメタクリレート
「カレンズＡＯＩ」;（昭和電工（株）製、２−アクリロイルオキシエチルイソシアネート）
「ＤＰＣＡ６０」；ジペンタエリスリトールとε−カプロラクトンとの付加物の（メタ）アクリレート化物（一般式（１）におけるｎ＋ｍ＋ｌ＋ｏ＋ｐ＋ｑ＝６）
「ＵＡ−１１００Ｈ」；ウレタンオリゴマー（新中村化学（株）社製  Ｍｎ＝７６４、官能基数＝６）
「ＰＧＭ−ＳＴ」；コロイダルシリカ（日産化学（株）社製）
「イルガキュア１８４」；１−ヒドロキシシクロヘキシルフェニルケトン（チバ・ジャパン（株）製）
「ＡＩＢＮ」；２，２’−アゾビス（イソブチロニトリル）
「ＥＨＱ」；ヒドロキノンモノメチルエーテル（和光純薬製）
「ＤＢＴＤＬ」；ジブチル錫ジラウリレート（和光純薬製）
【００６３】
（製造例１）
攪拌機、温度計、還流冷却器、滴下装置、ガス導入管を備えた反応容器に、シクロヘキサノン５０部を仕込み、窒素ガスを吹き込みながら８０℃で１時間攪拌した。滴下槽に（ａ１）としてＲＵＶＡ９３を２０部、（ａ２）としてＦＡＭＡＣ−４を５部、（ａ３）として４ＨＢＡを２５部、ＡＩＢＮ１．５部、シクロヘキサノン１６部を仕込み、滴下槽内を攪拌しながら２時間かけて反応槽に滴下した。滴下終了後、シクロヘキサノン７部で滴下槽内を洗浄し、洗浄液を反応槽に入れた。さらに２時間反応させた後、ＡＩＢＮ０．５部をシクロヘキサノン４．６部に溶かした溶液を３等分し、３０分おきに３回に分けて添加した。３回目添加の１時間後に冷却して取り出し、プレポリマーのシクロヘキサノン溶液を得た。固形分は４０．６％であった。また、プレポリマーの水酸基価は１８５（ｍｇＫＯＨ／ｇ）であった。
【００６４】
上記のプレポリマーのシクロヘキサノン溶液１３５部、重合禁止剤としてＭＥＨＱ０．０５部、触媒としてＤＢＴＤＬ０．１６部、シクロヘキサノン３７部を仕込み、ドライエアーを吹き込みながら６０℃で１時間攪拌した。滴下槽に（ａ５）として、プレポリマー中の水酸基１モルに対してイソシアネート基１モルに相当する量のカレンズＡＯＩ２６部を入れ、１時間かけて反応槽に滴下した。滴下終了後、３時間後にＩＲ測定を行ったところ、イソシアネート基に由来するピークが消失していたので、冷却して取り出した。固形分は４０．５％の活性エネルギー線硬化性化合物Ａ１の溶液を得た。
活性エネルギー線硬化性化合物Ａ１は、数平均分子量：１１０００、ベンゾトリアゾール基当量：１２０７、フッ素原子含有官能基当量：４７５４、(メタ)アクリロイル基当量：４３０であった。
なお、数平均分子量ＭｎはＧＰＣ（ゲル浸透クロマトグラフ）を使用し、ポリスチレン換算で求めた。
【００６５】
（製造例２〜４）、（比較製造例１〜４）
（ａ１）〜（ａ５）の種類や量を表１および表２に示すように変更した以外は製造例１と同様にして活性エネルギー線硬化性化合物Ａ２〜Ａ８の溶液を得た。
【００６６】
（実施例１）
製造例１で得た各活性エネルギー線硬化性化合物Ａ１の溶液（固形分：１５重量部を含む）と、ＬＡ８７：５重量部、ＤＰＣＡ６０：４０重量部、ＵＡ１１００Ｈ：４０重量部、ＰＧＭ−ＳＴ：７．５重量部、イルガキュア１８４：３重量部を混合し、活性エネルギー線硬化性組成物を得た。
市販ポリカーボネート板（タキロン（株）製）に前記の活性エネルギー線硬化性組成物をバーコーターにて塗工し、熱風乾燥オーブンにて１２０℃−３分間、乾燥し、その後速やかにＵＶ照射装置にてピーク照度７５０ｍＷ／ｃｍ２、積算光量１０００ｍＪ／ｃｍ２の硬化条件にて硬化させ、膜厚約１０μｍの硬化物を得た。
硬化物について、後述する方法にて、耐磨耗性、耐候性、密着性（初期、耐候性試験後）を評価した。結果を表３に示す。
【００６７】
（実施例２〜６）、（比較例１〜８）
実施例１と同様にして表３〜４に示す処方に従って、活性エネルギー線硬化性組成物及び硬化物を得、同様にして評価した。
【００６８】
１）耐摩耗性
ＪＩＳ Ｋ６４０４−２２に準ずる。
具体的には、テーバー摩耗試験機（ＴＡＢＥＲ社製）を用い、摩耗輪（ＣＳ−１０Ｆ）２輪使用、５００ｇ荷重にて５００回転試験後のヘイズ変化（ΔＨ）を、ヘイズメーター（日本電色社製  ＮＤＨ２０００）を使用して測定、３箇所の測定結果の平均値に関して５段階評価を行った。
５；ΔＨ＝１０％未満
４；ΔＨ＝１０％以上２０％未満
３；ΔＨ＝２０％以上３０％未満
２；ΔＨ＝３０％以上４０％未満
１；ΔＨ＝４０％以上
【００６９】
２）耐候性
ＪＩＳ  Ｋ５６００−７−７に準ずる。
スガ試験機社製スーパーキセノンウェザーメーター（ブラックパネル温度６３℃、降雨１２分／６０分サイクル）にて試験を行い、試験後の塗膜外観（クラックの発生、自然剥離の発生）を目視で評価した。結果は試験時間と試験後の塗膜の状態に応じて以下のように５段階で評価した。
５；１０００時間の曝露試験後、外観に大きな変化がない。
４；１０００時間の曝露試験後、塗膜にクラックが発生（塗膜の剥離はなし）。
３；１０００時間の曝露試験後、塗膜に自然剥離が発生。
２；５００時間の曝露試験後、塗膜にクラックが発生（塗膜の剥離はなし）。
１；５００時間の曝露試験後、塗膜に自然剥離が発生。
【００７０】
３）密着性（初期）
ＪＩＳ  Ｋ５６００に準ずる。
具体的には、耐候試験前の各塗膜にカッターで碁盤目（１００目）にキズを入れ、セロハンテープ（ニチバン社製２４ｍｍ幅）を密着させた後、垂直方向にはがし、塗膜が剥離せずに残存した碁盤目の数で５段階評価した。
５；１００残／１００
４；８０〜９９残／１００
３；５０〜７９残／１００
２；３０〜４９残／１００
１；０〜３０残／１００
【００７１】
４）密着性（耐候試験後）
耐候試験後の各塗膜にセロハンテープ（ニチバン社製２４ｍｍ幅）を密着させた後、垂直方向にはがし塗膜剥離の有無を評価した。結果は塗膜剥離の生じた試験時間に応じて、以下の通り５段階で評価した。
５；１０００時間の暴露試験後、塗膜の剥離がない。
４；１０００時間の曝露試験後、塗膜に剥離が発生。
３；７５０時間の曝露試験後、塗膜に剥離が発生。
２；５００時間の曝露試験後、塗膜に剥離が発生。
１；２５０時間の曝露試験後、塗膜に剥離が発生。
【００７２】
【表１】
0005585206.tif 000004
【００７３】
【表２】
0005585206.tif 000005
【００７４】
【表３】
0005585206.tif 000006
【００７５】
【表４】
0005585206.tif 000007
【産業上の利用可能性】
【００７６】
本発明の活性エネルギー線硬化性化合物（Ａ）は、優れた硬化性と耐候性を併せ持ち、他の活性エネルギー線硬化性化合物との相溶性もよい。前記活性エネルギー線硬化性化合物（Ａ）を含有する活性エネルギー線硬化性組成物を各種部材に塗布し、硬化層を具備させることにより、紫外線等から部材を保護することができる。
そこで、本発明の活性エネルギー線硬化性組成物は、特に、屋外または屋内の太陽光が差し込む箇所など、太陽光線が照射する箇所で使用するような部材、たとえば、携帯電話、携帯ゲーム機、携帯音楽プレーヤー、デジタルカメラ等のディスプレイ、液晶テレビ、プラズマテレビのディスプレイ、自動車用のライト、サンルーフ、太陽電池パネル、窓ガラスの表面保護フィルム、木材、紙、コンクリート、アスファルト、金属などの表面コーティング、インキ用バインダー、粘接着剤、などに使用され得る。